(57)【特許請求の範囲】
【請求項１】
受信された電波から受信信号を生成するチューナ部と、
前記受信信号を復調することでパケットを生成し、当該生成されたパケットを含むストリームを生成する復調処理部と、
前記ストリームから、必要なパケットを分離するデマルチプレクス部と、
前記チューナ部、前記復調処理部及び前記デマルチプレクス部を制御する制御部と、を備え、
前記制御部は、スキャン処理を実行する際に、
前記復調処理部に、前記電波に重畳されている複数のストリームで共通して利用される共通パケットを抜き出したスキャン用共通ストリームを生成させ、
前記デマルチプレクス部に、前記スキャン用共通ストリームから番組情報を分離させること
を特徴とするデジタル放送受信装置。
【請求項２】
前記制御部は、前記スキャン処理を実行する際に、
前記復調処理部に、前記共通パケットの時間情報に従わずに、前記共通パケットの間隔を詰めて前記スキャン用共通ストリームを生成させること
を特徴とする請求項１に記載のデジタル放送受信装置。
【請求項３】
前記制御部は、前記スキャン処理を実行する際に、
前記復調処理部に、無効パケットを挿入することを示す挿入情報に従った前記無効パケットの挿入を行わずに、前記スキャン用共通ストリームを生成させること
を特徴とする請求項１又は２に記載のデジタル放送受信装置。
【請求項４】
前記制御部は、前記スキャン処理を実行する際に、
前記復調処理部に、前記共通パケットの内、前記スキャン処理に必要な情報を含む共通パケットを選別させ、当該選別された共通パケットにより前記スキャン用共通ストリームを生成させること
を特徴とする請求項１から３の何れか一項に記載のデジタル放送受信装置。
【請求項５】
前記制御部は、前記スキャン処理を実行する際に、
前記復調処理部から前記デマルチプレクス部への前記スキャン用共通ストリームの伝送を、利用可能な最大伝送クロックレートにより行わせること
を特徴とする請求項１から４の何れか一項に記載のデジタル放送受信装置。
【請求項６】
前記制御部は、前記スキャン処理を実行する際に、
前記復調処理部に、前記電波に重畳されているストリームの全てのグループの共通パケットを抜き出したスキャン用共通ストリームを生成させること
を特徴とする請求項１から５の何れか一項に記載のデジタル放送受信装置。
【請求項７】
前記共通パケットは、ＤＶＢ−Ｔ２規格において定義されるｃｏｍｍｏｎ  ＰＬＰによって伝送されるものであること
を特徴とする請求項１から６の何れか一項に記載のデジタル放送受信装置。
【請求項８】
受信された電波から受信信号を生成するチューニング過程と、
前記受信信号を復調することでパケットを生成し、当該生成されたパケットを含むストリームを生成する復調処理過程と、
前記ストリームから、必要なパケットを分離するデマルチプレクス過程と、
を有し、
スキャン処理を実行する際に、
前記復調処理過程は、前記電波に重畳されている複数のストリームで共通して利用される共通パケットを抜き出したスキャン用共通ストリームを生成し、
前記デマルチプレクス過程は、前記スキャン用共通ストリームから番組情報を分離すること
を特徴とするデジタル放送受信方法。
【請求項９】
前記スキャン処理を実行する際に、
前記復調処理過程は、前記共通パケットの時間情報に従わずに、前記共通パケットの間隔を詰めて前記スキャン用共通ストリームを生成すること
を特徴とする請求項８に記載のデジタル放送受信方法。
【請求項１０】
前記スキャン処理を実行する際に、
前記復調処理過程は、無効パケットを挿入することを示す挿入情報に従った前記無効パケットの挿入を行わずに、前記スキャン用共通ストリームを生成すること
を特徴とする請求項８又は９に記載のデジタル放送受信方法。
【請求項１１】
前記スキャン処理を実行する際に、
前記復調処理過程は、前記共通パケットの内、前記スキャン処理に必要な情報を含む共通パケットを選別し、当該選別された共通パケットにより前記スキャン用共通ストリームを生成すること
を特徴とする請求項８から１０の何れか一項に記載のデジタル放送受信方法。
【請求項１２】
前記スキャン処理を実行する際に、
前記復調処理過程は、前記スキャン用共通ストリームの伝送を、利用可能な最大伝送クロックレートにより行うこと
を特徴とする請求項８から１１の何れか一項に記載のデジタル放送受信方法。
【請求項１３】
前記スキャン処理を実行する際に、
前記復調処理過程は、前記電波に重畳されているストリームの全てのグループの共通パケットを抜き出したスキャン用共通ストリームを生成すること
を特徴とする請求項８から１２の何れか一項に記載のデジタル放送受信方法。
【請求項１４】
前記共通パケットは、ＤＶＢ−Ｔ２規格において定義されるｃｏｍｍｏｎ  ＰＬＰによって伝送されるものであること
を特徴とする請求項８から１３の何れか一項に記載のデジタル放送受信方法。
【発明の詳細な説明】
【技術分野】
【０００１】
本発明は、デジタル放送受信装置及びデジタル放送受信方法に関する。
【背景技術】
【０００２】
デジタル放送技術では、単一の周波数チャンネルにおいて複数の放送プログラムを多重化して同時に伝送することができる。例えば、複数の放送プログラムの符号化ストリーム（符号化映像ストリーム及び符号化音声ストリーム等）から放送プログラム毎にＥＳ（Ｅｌｅｍｅｎｔａｒｙ  Ｓｔｒｅａｍ）と称するストリームデータが生成される。送信機は、このストリームデータを分割し、当該分割されたストリームデータを多重化して単一の周波数チャネルを用いて送信できる。
【０００３】
日本の地上デジタル放送の場合には、多重化する際に、ＭＰＥＧ−２システム（Ｍｏｖｉｎｇ  Ｐｉｃｔｕｒｅ  Ｅｘｐｅｒｔｓ  Ｇｒｏｕｐ  ｐｈａｓｅ  ２  ｓｙｓｔｅｍ）で定義されるＴＳ（Ｔｒａｎｓｐｏｒｔ  Ｓｔｒｅａｍ）形式が用いられる。ＭＰＥＧ−２システムによれば、符号化ストリームから生成されたＥＳは、適当な大きさのデータブロックに分割されて、ＰＥＳ（Ｐａｃｋｅｔｉｚｅｄ  Ｅｌｅｍｅｎｔａｒｙ  Ｓｔｒｅａｍ）と呼ばれるパケットストリーム形式のデータに変換される。更に、このＰＥＳから、各々が固定長のＴＳパケット（Ｔｒａｎｓｐｏｒｔ  Ｓｔｒｅａｍ  Ｐａｃｋｅｔ）が生成される。送信機は、これらＴＳパケットを多重化することで生成されたＴＳを変調して送信する。
【０００４】
一方、欧州電気通信標準化機構（ＥＴＳＩ）によって採用された第２世代の地上デジタル放送規格であるＤＶＢ−Ｔ２では、複数のＴＳを個々に異なる変調パラメータを用いて単一の周波数チャンネル中で伝送することができる。ＤＶＢ−Ｔ２では、個々のストリームを伝送する物理的な伝送路は、ＰＬＰ（Ｐｈｙｓｉｃａｌ  Ｌａｙｅｒ  Ｐｉｐｅ）と呼ばれており、ＴＳ及び他の種類のストリームを各ＰＬＰに対応付けて物理層で多重化して伝送が行われる。
【０００５】
ＤＶＢ−Ｔ２でＴＳの伝送が行われる場合、非特許文献１のＡｎｎｅｘ  Ｄに示されるように、複数のＴＳに共通するパケットを抜き出して個別のＰＬＰで伝送する方式が用いられることがある。この場合、共通パケットを伝送するＰＬＰは、ｃｏｍｍｏｎ  ＰＬＰと呼ばれ、また、各ストリームデータから共通パケットを除いた残りのパケットを伝送するＰＬＰは、ｄａｔａ  ＰＬＰと呼ばれる。非特許文献１により、共通パケットにはＳＩ（Ｓｅｒｖｉｃｅ  Ｉｎｆｏｒｍａｔｉｏｎ）と呼ばれる放送局や放送プログラムに関する情報が含まれることが示唆されている。
【０００６】
デジタル放送受信装置が特定のＴＳを受信したい場合は、該当ＴＳに対応付けられた一対のｃｏｍｍｏｎ  ＰＬＰ及びｄａｔａ  ＰＬＰを個別に復調し、さらに復調されたストリーム間でパケット単位の同期を取ってマージを行うことで元々のＴＳを復元することができる。デジタル放送受信装置は、復元されたストリームをデマルチプレクス処理によって分離することでＳＩを取得することができる。そして、デジタル放送受信装置は、取得されたＳＩに基づいて、デマルチプレクス処理により分離された符号化ストリームをデコードすることで、映像や音声を再生する。
【先行技術文献】
【非特許文献】
【０００７】
【非特許文献１】“Ｄｉｇｉｔａｌ  Ｖｉｄｅｏ  Ｂｒｏａｄｃａｓｔｉｎｇ（ＤＶＢ）；  Ｆｒａｍｅ  ｓｔｒｕｃｔｕｒｅ  ｃｈａｎｎｅｌ  ｃｏｄｉｎｇ  ａｎｄ  ｍｏｄｕｌａｔｉｏｎ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅｍ（ＤＶＢ−Ｔ２）”、ＥＴＳＩ  ＥＮ  ３０２  ７５５  Ｖ１．２．１、２０１１年２月
【発明の概要】
【発明が解決しようとする課題】
【０００８】
非特許文献１に示される方法では、元々のＴＳを復元するためには、一対のｃｏｍｍｏｎ  ＰＬＰ及びｄａｔａ  ＰＬＰの復調処理及びマージ処理を行う必要がある。この点、一般的なデジタル放送受信装置の持つ機能のうち、ＳＩの取得を目的としたスキャンと呼ばれる各種機能においては、必ずしも元々のＴＳの全てを入力対象とする必要はなく、ＳＩのみを参照することができればよい。
【０００９】
言い換えると、非特許文献１に示される方法を用いた場合、映像や音声を含む符号化ストリームのＴＳパケットについても復調処理及びマージ処理を実施することになり、参照不要なＴＳパケットを読み捨てるための無駄な処理時間が生じてしまう。
【００１０】
そこで、本発明は、ＳＩの収集を目的とする処理において、不要な情報の処理を行うことで生じる無駄な時間を削減することを目的とする。
【課題を解決するための手段】
【００１１】
本発明の一態様に係るデジタル放送受信装置は、受信された電波から受信信号を生成するチューナ部と、前記受信信号を復調することでパケットを生成し、当該生成されたパケットを含むストリームを生成する復調処理部と、前記ストリームから、必要なパケットを分離するデマルチプレクス部と、前記チューナ部、前記復調処理部及び前記デマルチプレクス部を制御する制御部と、を備え、前記制御部は、スキャン処理を実行する際に、前記復調処理部に、前記電波に重畳されている複数のストリームで共通して利用される共通パケットを抜き出したスキャン用共通ストリームを生成させ、前記デマルチプレクス部に、前記スキャン用共通ストリームから番組情報を分離させることを特徴とする。
【発明の効果】
【００１２】
本発明の一態様によれば、ＳＩの収集を目的とする処理において、不要な情報の処理を行うことで生じる無駄な時間を削減することができる。
【図面の簡単な説明】
【００１３】
【図１】実施の形態１〜３に係るデジタル放送受信装置の構成を概略的に示すブロック図である。
【図２】ＤＶＢ−Ｔ２規格による放送で、複数のＴＳが伝送される際に共通ストリームがｃｏｍｍｏｎ  ＰＬＰで送られてくる場合を示す模式図である。
【図３】Ｎｕｌｌ  Ｐａｃｋｅｔ  Ｄｅｌｅｔｉｏｎという処理を説明するための模式図である。
【図４】従来のスキャン処理全体の流れを示すフローチャートである。
【図５】従来のスキャン処理におけるグループ内ＰＬＰ解析処理を示すフローチャートである。
【図６】実施の形態１に係るデジタル放送受信装置が行うスキャン処理全体の流れを示すフローチャートである。
【図７】実施の形態１におけるｃｏｍｍｏｎ  ＰＬＰ解析処理を示すフローチャートである。
【図８】ＤＶＢ−Ｔ２規格で定められるＴ２フレームの構成を示す概略図である。
【図９】実施の形態１におけるスキャン処理時の共通ストリームを説明するための概略図である。
【図１０】実施の形態２におけるｃｏｍｍｏｎ  ＰＬＰ解析処理を示すフローチャートである。
【図１１】実施の形態３に係るデジタル放送受信装置が行うスキャン処理全体の流れを示すフローチャートである。
【図１２】実施の形態３における全ｃｏｍｍｏｎ  ＰＬＰ解析処理を示すフローチャートである。
【発明を実施するための形態】
【００１４】
実施の形態１．
【００１５】
図１は、実施の形態１に係るデジタル放送受信装置１００の構成を概略的に示すブロック図である。なお、実施の形態１に係るデジタル放送受信装置１００は、欧州等において使用されているＤＶＢ−Ｔ２規格に対応するものとする。
【００１６】
図１に示すように、デジタル放送受信装置１００は、チューナ部１０１と、チューナ部１０１の出力部に接続される復調部１０２と、復調部１０２の出力部に接続されるストリーム調整部１０３と、ストリーム調整部１０３の出力部に接続されるデマルチプレクス部１０４と、デマルチプレクス部１０４の出力部に接続されるデコード部１０５と、制御部１０７と、記憶部１０８とを備える。ここで、復調部１０２及びストリーム調整部１０３により、復調処理部が構成される。なお、図１の括弧内の符号は、実施の形態２及び３における構成を示す。
【００１７】
チューナ部１０１は、アンテナ１３０に接続され、アンテナ１３０で受信された電波より、受信信号を生成する。なお、チューナ部１０１は、制御部１０７からの同調指示に従って、指示された物理チャンネルに基づいて放送局の選局を行い、選局された放送局からの受信信号を生成する。また、チューナ部１０１は、生成された受信信号を復調部１０２に与える。
【００１８】
復調部１０２は、チューナ部１０１より与えられた受信信号の復調処理及び誤り訂正処理を行い、デジタルストリームを生成する。ＤＶＢ−Ｔ２規格では、復調処理の結果としてＢＢＦＲＡＭＥと呼ばれる形式のストリームデータが得られる。そして、復調部１０２は、生成されたデジタルストリームをストリーム調整部１０３に与える。また、復調部１０２は、復調処理の結果に応じて、フレームロック検出信号又はフレームアンロック検出信号を制御部１０７に与える。
また、復調部１０２は、制御部１０７からの指示に応じて、チューナ部１０１より与えられた受信信号に含まれているｃｏｍｍｏｎ  ＰＬＰの信号だけを復調して、複数のＴＳで利用されるＴＳパケットである共通パケットをデータフィールドに含むＢＢＦＲＡＭＥ形式の共通デジタルストリームを生成する。ここで、ＢＢＦＲＡＭＥ形式のストリームデータは、ＢＢヘッダと、データフィールドとからなり、ＴＳパケットはこのデータフィールドに分割されて格納される。また、データフィールドには、ＴＳパケットの前後に、ＴＳを復元するために使用されるＤＮＰ及びＩＳＳＹといった情報が挿入される。
そして、復調部１０２は、生成された共通デジタルストリームをストリーム調整部１０３に与える。なお、本実施の形態では、制御部１０７は、復調部１０２に、ｃｏｍｍｏｎ  ＰＬＰの信号だけを復調するための変調パラメータを与えることで、復調部１０２にｃｏｍｍｏｎ  ＰＬＰの信号だけを復調させる。
【００１９】
ストリーム調整部１０３は、復調部１０２から与えられたデジタルストリームよりＴＳを復元する処理、又は、共通デジタルストリームに含まれている共通パケットからなるスキャン用共通ストリームを復元する処理を行う。
例えば、ストリーム調整部１０３は、復調部１０２より与えられたデジタルストリームについて、その中に含まれるＮＵＬＬパケットの挿入情報及び時刻情報を参照して、送信側の装置で入力されたＴＳパケットの内容及び入力タイミングを復元することで、ＴＳを復元する。そして、ストリーム調整部１０３は、生成されたＴＳを、デマルチプレクス部１０４に与える。なお、ＤＶＢ−Ｔ２規格ではストリームの形式としてＴＳの他にＧＳＥ（Ｇｅｎｅｒｉｃ  Ｓｔｒｅａｍ  Ｅｎｃａｐｓｕｌａｔｉｏｎ）、ＧＣＳ（Ｇｅｎｅｒｉｃ  Ｃｏｎｔｉｎｕｏｕｓ  Ｓｔｒｅａｍ）及びＧＦＰＳ（Ｇｅｎｅｒｉｃ  Ｆｉｘｅｄ−ｌｅｎｇｔｈ  Ｐａｃｋｅｔｉｚｅｄ  Ｓｔｒｅａｍ）が定義されているが、本実施の形態では１つの周波数チャンネルに含まれる全ストリームがＴＳであるような場合を想定する。
また、ストリーム調整部１０３は、制御部１０７からの指示に応じて、復調部１０２から与えられた共通デジタルストリームより、スキャン処理に必要な情報を含んだＴＳパケットを選別して、選別されたＴＳパケットからなるスキャン用共通ストリームを生成する。ここで、スキャン処理に必要な情報は、例えば、番組情報である。なお、ストリーム調整部１０３は、選別されたＴＳパケットの間隔を詰めることによりスキャン用共通ストリームを生成する。そして、ストリーム調整部１０３は、生成されたスキャン用共通ストリームをデマルチプレクス部１０４に与える。
【００２０】
ここで、復調部１０２及びストリーム調整部１０３により構成される復調処理部は、チューナ部１０１より与えられた受信信号を復調して、ＴＳ又はスキャン用共通ストリームを生成することになる。
【００２１】
デマルチプレクス部１０４は、ストリーム調整部１０３より与えられたＴＳ又はスキャン用共通ストリームに対して、デマルチプレクス処理を行う。例えば、デマルチプレクス部１０４は、ＴＳ又はスキャン用共通ストリームから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）等のサービス（番組）を選択するために必要な情報を含む番組情報を分離する。
さらに、デマルチプレクス部１０４は、分離された番組情報より検出された、映像ＴＳパケット及び音声ＴＳパケットのＰＩＤ（Ｐａｃｋｅｔ  Ｉｄｅｎｔｉｆｉｅｒ）の値に基づいて、ＴＳをフィルタリングし、ＴＳから映像ＴＳパケット及び音声ＴＳパケットを分離する。そして、デマルチプレクス部１０４は、分離された映像ＴＳパケット及び音声ＴＳパケットをデコード部１０５に与える。
【００２２】
デコード部１０５は、デマルチプレクス部１０４から与えられた映像ＴＳパケット及び音声ＴＳパケットをデコード（復号）して、映像信号及び音声信号をそれぞれ生成する。そして、デコード部１０５は、生成された映像信号及び音声信号を、映像及び音声を出力することのできる出力装置１３１に与える。出力装置１３１は、例えば、ディスプレイとスピーカとを備える。
【００２３】
制御部１０７は、デジタル放送受信装置１００で行う処理を統括的に制御する。例えば、制御部１０７は、チューナ部１０１、復調部１０２、ストリーム調整部１０３、デマルチプレクス部１０４及びデコード部１０５を制御する。図１に示されているように、制御部１０７は、受信周波数選択部１０７１と、共通情報解析部１０７２と、復調ストリーム選択部１０７３と、ストリーム調整制御部１０７４と、ストリーム伝送制御部１０７５と、個別情報解析部１０７６とを備える。
受信周波数選択部１０７１は、チューナ部１０１及び復調部１０２を制御する。
共通情報解析部１０７２及び復調ストリーム選択部１０７３は、復調部１０２を制御する。
ストリーム調整制御部１０７４及びストリーム伝送制御部１０７５は、ストリーム調整部１０３を制御する。
個別情報解析部１０７６は、デマルチプレクス部１０４を制御する。
【００２４】
記憶部１０８は、デジタル放送受信装置１００での処理に必要な情報を記憶する。例えば、記憶部１０８は、制御部１０７で取得された番組情報を記憶する。
【００２５】
図２は、非特許文献１に記載のＤＶＢ−Ｔ２規格による放送で、複数のＴＳが伝送される際に共通ストリームがｃｏｍｍｏｎ  ＰＬＰで送られてくる場合を示す模式図である。図２に示すように、ｃｏｍｍｏｎ  ＰＬＰが運用される場合、送信側の装置で入力されたＮ本のＴＳ（ＴＳ＿１〜ＴＳ＿Ｎ）は、変調器で、Ｎ本の個別ストリーム（ＴＳＰＳ１〜ＴＳＰＳＮ）と１本の共通ストリーム（ＴＳＰＳＣ）に分離され、Ｎ本のｄａｔａ  ＰＬＰ（ＰＬＰ１〜ＰＬＰＮ）の信号と１本のｃｏｍｍｏｎ  ＰＬＰ（ＣＰＬＰ）の信号に変調される。そして、変調されたＮ本のｄａｔａ  ＰＬＰ（ＰＬＰ１〜ＰＬＰＮ）の信号と１本のｃｏｍｍｏｎ  ＰＬＰ（ＣＰＬＰ）の信号とは、放送波として送信される。受信側の装置では、例えば、ＴＳ＿２を復調したい場合には、復調器に、ＴＳ＿２の個別ストリーム（ＴＳＰＳ２）を変調したｄａｔａ  ＰＬＰの信号であるＰＬＰ２と、ＴＳ＿２の共通ストリーム（ＴＳＰＳＣ）を変調したｃｏｍｍｏｎ  ＰＬＰの信号であるＣＰＬＰとを選択して復調させ、これらの復調ストリームをマージすることによってＴＳ＿２を得ることができる。
【００２６】
受信側の装置では、ＴＳによって伝送されるＳＩの一つであるＮＩＴ（Ｎｅｔｗｏｒｋ  Ｉｎｆｏｒｍａｔｉｏｎ  Ｔａｂｌｅ）中に含まれるＴ２  ｄｅｌｉｖｅｒｙ  ｓｙｓｔｅｍ  ｄｅｓｃｒｉｐｔｏｒを参照することで、同じ周波数チャンネルで伝送される各ＴＳとｄａｔａ  ＰＬＰとの対応関係を知ることができる。受信側の装置では、復調器に、予めスキャン時にこの情報を取得して保持しておき、選局動作の際には選局対象となるＴＳに対応したｄａｔａ  ＰＬＰの信号とｃｏｍｍｏｎ  ＰＬＰの信号とを選択して復調させる。
【００２７】
ＤＶＢ−Ｔ２規格によれば、このようなｃｏｍｍｏｎ  ＰＬＰを用いた共通ストリームの伝送は、必須のものではなく、このような伝送が使用されない場合もある。その場合は、図２に示されているＮ本のＴＳ（ＴＳ＿１〜ＴＳ＿Ｎ）は、共通部分が分離されることなく、そのままの形でＮ本のｄａｔａ  ＰＬＰ（ＰＬＰ１〜ＰＬＰＮ）の信号に変調される。従って、受信側の装置は、特定のＴＳを復調したい場合に、１本のｄａｔａ  ＰＬＰの信号を選択して復調すればよい。
【００２８】
またＤＶＢ−Ｔ２規格によれば、ｃｏｍｍｏｎ  ＰＬＰは、単一の周波数チャンネルに複数含まれることもあり得る。この場合、任意のｃｏｍｍｏｎ  ＰＬＰとｄａｔａ  ＰＬＰとの対応関係は、Ｌ１−Ｓｉｇｎａｌｌｉｎｇと呼ばれる、周波数チャンネルに固有の情報に含まれるＰＬＰ＿ＧＲＯＵＰ＿ＩＤによって知ることができる。ＰＬＰ＿ＧＲＯＵＰ＿ＩＤは、ｃｏｍｍｏｎ  ＰＬＰを含めた各々のＰＬＰに設定された固有の値であり、そのＰＬＰが属するＰＬＰグループを示す。受信側の装置では、特定のｄａｔａ  ＰＬＰの個別ストリームを含んだＴＳを復調したい場合に、そのｄａｔａ  ＰＬＰと同じＰＬＰ＿ＧＲＯＵＰ＿ＩＤ値を持つｃｏｍｍｏｎ  ＰＬＰを選択して、選択されたｃｏｍｍｏｎ  ＰＬＰの信号を復調することで、正しく対応する共通ストリームを得ることができる。
【００２９】
このようにしてｃｏｍｍｏｎ  ＰＬＰ及びｄａｔａ  ＰＬＰの信号を復調すると、受信側の装置では、ＢＢＦＲＡＭＥ形式のデジタルストリームデータが得られる。このデジタルストリーム中には、ＩＳＳＹ（Ｉｎｐｕｔ  Ｓｔｒｅａｍ  ＳＹｎｃｈｒｏｎｉｚｅｒ）と呼ばれるタイムスタンプデータが含まれており、受信側の装置では、この情報を元に送信側でのストリームの入力ビットレートやパケット単位の入力タイミングを復元することができる。
【００３０】
また、入力ＴＳ中にはビットレート調整のためにＮＵＬＬパケット（有効なデータの含まれないパケット）が含まれる可能性があるが、ＮＵＬＬパケットを伝送することによる処理負荷を抑えるため、ＤＶＢ−Ｔ２規格では、Ｎｕｌｌ  Ｐａｃｋｅｔ  Ｄｅｌｅｔｉｏｎという処理が用いられることがある。この場合、図３に示すように、パケットの間にＤＮＰ（Ｄｅｌｅｔｅｄ  Ｎｕｌｌ−Ｐａｃｋｅｔｓ）と呼ばれる１バイトのデータが挿入される。ＤＮＰは有効なデータを含むパケット間にＮｕｌｌパケットが何個存在したかを示す数値である。受信側の装置では、例えば、ＤＮＰの値が２であれば、直前のパケットとさらに１つ前のパケットの間にＮＵＬＬパケットを２つ挿入することで、元の入力ストリームを復元することができる。
【００３１】
図４は、従来のスキャン処理全体の流れを示すフローチャートである。ここで、図４では、図１に示された、実施の形態１に係るデジタル放送受信装置１００が、従来のスキャン処理を行う場合を例に説明するが、実施の形態１に係るデジタル放送受信装置１００は、図４に示されている従来のスキャン処理を行うものではない。
【００３２】
スキャン処理実行時、受信周波数選択部１０７１は、受信周波数を順に選択して、チューナ部１０１及び復調部１０２に指示を出して、チューニング処理及び復調処理を行わせる（Ｓ１０）。
受信周波数選択部１０７１は、復調部１０２の検出信号によって信号受信が確認できたかどうかを判定する（Ｓ１１）。そして、受信周波数選択部１０７１は、信号受信が確認できた場合（Ｓ１１：Ｙｅｓ）には、ステップＳ１２の処理に進み、信号受信が確認できなかった場合（Ｓ１１：Ｎｏ）には、ステップＳ１６の処理に進む。
【００３３】
ＤＶＢ−Ｔ２の場合は、周波数チャンネルに対してＬ１−Ｓｉｇｎａｌｌｉｎｇと呼ばれる情報が伝送されており、このＬ１−Ｓｉｇｎａｌｌｉｎｇにその周波数チャンネル内で伝送される各ストリームについての変調情報等が記載されている。信号受信が確認できた場合（Ｓ１１：Ｙｅｓ）には、共通情報解析部１０７２は、このＬ１−Ｓｉｇｎａｌｉｎｇを受信し解析する（Ｓ１２）。共通情報解析部１０７２は、Ｌ１−Ｓｉｇｎａｌｌｉｎｇに記載される情報のうち、ストリームの物理的伝送単位であるＰＬＰの情報を解析すると、ＰＬＰのセットであるＰＬＰグループがいくつ存在し、各ＰＬＰがそのうちのどれに属するのかが分かる。そこで、ステップＳ１２では、共通情報解析部１０７２は、解析結果として、ＰＬＰグループと、このＰＬＰグループに属するＰＬＰとを特定する情報を復調ストリーム選択部１０７３に与える。
【００３４】
復調ストリーム選択部１０７３は、共通情報解析部１０７２から与えられた情報で特定されるＰＬＰグループのうち未選択のものを順に選択し（Ｓ１３）、選択されたＰＬＰグループについて、グループ内ＰＬＰ解析処理を行う（Ｓ１４）。ステップＳ１４におけるグループ内ＰＬＰ処理については、図５を用いて詳細に説明する。
【００３５】
ステップＳ１４におけるグループ内ＰＬＰ解析処理が終了した後、復調ストリーム選択部１０７３は、現在チューニングしている周波数チャンネルの全てのＰＬＰグループをスキャンしたかどうかを判定する（Ｓ１５）。その結果、復調ストリーム選択部１０７３は、全ＰＬＰグループをスキャン済みであれば（Ｓ１５：ＹＥＳ）、１つの周波数チャンネルについての処理を終了し、ステップＳ１６の処理に進む。一方、復調ストリーム選択部１０７３は、未選択のＰＬＰグループがあれば（Ｓ１５：ＮＯ）、ステップＳ１３の処理に戻り、未選択のＰＬＰグループを選択して、ステップＳ１４及びＳ１５の処理を繰り返す。
【００３６】
ステップＳ１６では、受信周波数選択部１０７１は、全周波数チャンネルをスキャンしたかどうかを判定する。そして、受信周波数選択部１０７１は、全周波数チャンネルをスキャン済みであれば（Ｓ１６：ＹＥＳ）、本フローを終了する。一方、受信周波数選択部１０７１は、未スキャンの周波数チャンネルが残っていれば（S１６：Ｎｏ）、ステップＳ１０の処理に戻り、次の周波数チャンネルを選択して、Ｓ１０〜Ｓ１６の処理を繰り返す。
【００３７】
図５は、図４のステップＳ１４におけるグループ内ＰＬＰ解析処理を示すフローチャートである。
復調ストリーム選択部１０７３は、選択されているＰＬＰグループに属するＰＬＰのうち未選択のものを選択する（Ｓ２０）。そして、復調ストリーム選択部１０７３は、選択されたＰＬＰについて、Ｌ１−Ｓｉｇｎａｌｌｉｎｇに記載の変調パラメータ等の情報を用いて、復調部１０２に復調を行わせる。
【００３８】
ストリーム調整制御部１０７４は、復調部１０２で復調した結果得られたＢＢＦＲＡＭＥ形式のデジタルストリームから、送信側で入力されたＴＳストリームデータとその入力タイミングとをストリーム調整部１０３に復元させる（Ｓ２１）。
そして、ストリーム伝送制御部１０７５は、ストリーム調整部１０３を制御して、以上のようにして復元されたＴＳを、デマルチプレクス部１０４へと伝送させる（Ｓ２２）。
【００３９】
デマルチプレクス部１０４は、伝送されたＴＳからＮＩＴ等のＳＩを取得し、個別情報解析部１０７６は、デマルチプレクス部１０４で取得されたＳＩを記憶部１０８に記憶させる（Ｓ２３）。
【００４０】
復調ストリーム選択部１０７３は、選択されているＰＬＰグループに含まれる全てのＰＬＰをスキャン済みが否かを判断する（Ｓ２４）。そして、復調ストリーム選択部１０７３は、全てのＰＬＰをスキャン済みであれば（Ｓ２４：ＹＥＳ）、本フローを終了し、選択されているＰＬＰグループに含まれていて、未スキャンのＰＬＰが存在すれば（Ｓ２４：Ｎｏ）、ステップＳ２１の処理に戻る。
【００４１】
なお、上記のＳ２３の処理で取得できるＳＩは、ＤＶＢ−Ｔ２規格においてはＬ２−Ｓｉｇｎａｌｌｉｎｇと呼ばれる。ストリーム毎のＳＩには、自ＴＳについての情報を含んだａｃｔｕａｌと、他ＴＳについての情報を含んだｏｔｈｅｒが存在する。ｏｔｈｅｒが運用される場合には、個別情報解析部１０７６は、該当するテーブルを取得することで他のＴＳの情報を得ることができる。
【００４２】
以上のように、従来のスキャン処理においては、デジタル放送受信装置１００は、１つの周波数チャンネルをスキャンする際にその中で伝送される全てのストリームを復調して、ＳＩ（Ｌ２−Ｓｉｇｎａｌｌｉｎｇ）を収集する。また、従来のスキャン処理においては、デジタル放送受信装置１００は、不要なはずの映像や音声を含んだパケットデータも共に復調していたり、ストリーム入力時のタイミングを再現してデマルチプレクス部１０４へと入力したりしているため、ＳＩ（Ｌ２−Ｓｉｇｎａｌｌｉｎｇ）を収集する際に該当データを含んだパケットが流れてくるまで、入力時のタイミングに依存した待ち時間が必要となる。
【００４３】
図６は、実施の形態１に係るデジタル放送受信装置１００が行うスキャン処理全体の流れを示すフローチャートである。
【００４４】
スキャン処理実行時、受信周波数選択部１０７１は、受信周波数を順に選択して、チューナ部１０１及び復調部１０２に指示を出して、チューニング処理及び復調処理を行わせる（Ｓ３０）。
受信周波数選択部１０７１は、復調部１０２の検出信号によって信号受信が確認できたかどうかを判定する（Ｓ３１）。そして、受信周波数選択部１０７１は、信号受信が確認できた場合（Ｓ３１：Ｙｅｓ）には、ステップＳ３２の処理に進み、信号受信が確認できなかった場合（Ｓ３１：Ｎｏ）には、ステップＳ３８の処理に進む。
【００４５】
ステップＳ３２では、共通情報解析部１０７２は、Ｌ１−Ｓｉｇｎａｌｌｉｎｇを受信し解析する。そして、共通情報解析部１０７２は、Ｌ１−Ｓｉｇｎａｌｌｉｎｇに記載される情報のうち、ストリームの物理的伝送単位であるＰＬＰの情報を解析すると、ＰＬＰのセットであるＰＬＰグループがいくつ存在し、各ＰＬＰがそのうちのどれに属するのかが分かる。そこで、ステップＳ２２では、共通情報解析部１０７２は、解析結果として、ＰＬＰグループと、このＰＬＰグループに属するＰＬＰとを特定する情報を復調ストリーム選択部１０７３に与える。
【００４６】
復調ストリーム選択部１０７３は、共通情報解析部１０７２から与えられた情報に基づいて、ＰＬＰグループのうち未選択のものを順に選択する（Ｓ３３）。
そして、復調ストリーム選択部１０７３は、選択されたＰＬＰグループにｃｏｍｍｏｎ  ＰＬＰが含まれるかどうかを判定する（Ｓ３４）。ここで、復調ストリーム選択部１０７３は、選択されたＰＬＰグループのＰＬＰ＿ＧＲＯＵＰ＿ＩＤの値を持つＰＬＰの中で、Ｌ１−Ｓｉｇｎａｌｌｉｎｇに記述されているＰＬＰ＿ＴＹＰＥがｃｏｍｍｏｎ  ＰＬＰであるものが存在するかどうかで、ステップＳ３４の判定を行うことができる。
【００４７】
ｃｏｍｍｏｎ  ＰＬＰが存在しない場合（Ｓ３４：ＮＯ）は、ＰＬＰグループ内にｄａｔａ  ＰＬＰのみが含まれていることになる。この場合は、復調ストリーム選択部１０７２は、ステップＳ２５の処理に進み、グループ内ＰＬＰ解析処理を行う。この処理は、図５に示されているフローと同様の処理である。
一方、ｃｏｍｍｏｎ  ＰＬＰが存在する場合（Ｓ３４：ＹＥＳ）は、復調ストリーム選択部１０７は、ステップＳ３６に進み、ｃｏｍｍｏｎ  ＰＬＰ解析処理を行う。この処理については、図７を用いて詳細に説明する。
【００４８】
ステップＳ３５におけるグループ内ＰＬＰ解析処理が終了した後、又は、ステップＳ３６におけるｃｏｍｍｏｎ  ＰＬＰ解析処理が終了した後、復調ストリーム選択部１０７３は、現在チューニングしている周波数チャンネルの全てのＰＬＰグループをスキャンしたかどうかを判定する（Ｓ３７）。その結果、復調ストリーム選択部１０７３は、全ＰＬＰグループをスキャン済みであれば（Ｓ３７：ＹＥＳ）、１つの周波数チャンネルについての処理を終了し、ステップＳ３８の処理に進む。一方、復調ストリーム選択部１０７３は、未選択のＰＬＰグループがあれば（Ｓ３７：ＮＯ）、ステップＳ３３の処理に戻り、未選択のＰＬＰグループを選択して、ステップＳ３４〜Ｓ３７の処理を繰り返す。
【００４９】
ステップＳ３８では、受信周波数選択部１０７１は、全周波数チャンネルをスキャンしたかどうかを判定する。そして、受信周波数選択部１０７１は、全周波数チャンネルをスキャン済みであれば（Ｓ３８：ＹＥＳ）、本フローを終了する。一方、受信周波数選択部１０７１は、未スキャンの周波数チャンネルが残っていれば（Ｓ３８：Ｎｏ）、ステップＳ３０の処理に戻り、次の周波数チャンネルを選択して、Ｓ３０〜Ｓ３８の処理を繰り返す。
【００５０】
図７は、図６のステップＳ３６におけるｃｏｍｍｏｎ  ＰＬＰ解析処理を示すフローチャートである。
まず、復調ストリーム選択部１０７３は、復調部１０２に対してｃｏｍｍｏｎ  ＰＬＰの復調を指示して復調処理を行わせる（Ｓ４０）。この際には、復調ストリーム選択部１０７３は、復調部１０２に、ｃｏｍｍｏｎ  ＰＬＰに対して対となるｄａｔａ  ＰＬＰを指定しないため、復調部１０２は、ｃｏｍｍｏｎ  ＰＬＰの信号のみの復調を行う。そして、復調部１０２は、ｃｏｍｍｏｎ  ＰＬＰの信号のみを復調して、共通デジタルストリームを生成し、この共通デジタルストリームをストリーム調整部１０３に与える。
【００５１】
次に、ストリーム調整制御部１０７４は、ストリーム調整部１０３に対して、スキャン用共通ストリームの生成を指示する（Ｓ４１）。ストリーム調整部１０３には、復調部１０２でｃｏｍｍｏｎ  ＰＬＰの信号を復調して得られた共通デジタルストリームが入力されている。このため、ストリーム調整部１０３は、入力された共通デジタルストリームから、必要なパケットを抽出することで、スキャン用共通ストリームを生成する。そして、ストリーム調整部１０３は、生成されたスキャン用共通ストリームを、ストリーム伝送制御部１０７５の制御によりデマルチプレクス部１０４に伝送する。
なお、スキャン用共通ストリームを生成する際には、ストリーム調整部１０３は、Ｎｕｌｌ  Ｐａｃｋｅｔ  ＤｅｌｅｔｉｏｎによるＤＮＰがストリーム中に含まれていても、ＮＵＬＬパケットの挿入は行わないようにする。即ち、有効なデータを含んだパケットのみが後段に出力されるように、ストリーム調整制御部１０７４がストリーム調整部１０３を制御する。
さらに、ストリーム調整制御部１０７４の指示により、ストリーム調整部１０３は、スキャン用共通ストリームを生成する際に、後段の処理で取得したい情報を含んだＴＳパケットのみを抽出するようにする。通常、スキャン処理において取得対象となるのはＳＩを含んだパケットのみであり、ＮＩＴの他にＢＩＴ（Ｂｒｏａｄｃａｓｔｅｒ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）及びＥＩＴ（Ｅｖｅｎｔ  Ｉｎｆｏｒｍａｔｉｏｎ  Ｔａｂｌｅ）等が含まれている。これらのＳＩについては、ＭＰＥＧ２システムの規格上でＴＳパケットのＰＩＤが特定の固定値になると定められているため、ストリーム調整部１０３は、該当するＰＩＤを持つパケットのみを抽出してデマルチプレクス部１０４に出力する。
【００５２】
デマルチプレクス部１０４では、上記の処理の結果として入力されたスキャン用共通ストリームからＳＩを取得し、個別情報解析部１０７６は、取得されたＳＩを記憶部１０８に記憶させる（Ｓ４２）。ここで、元々のｃｏｍｍｏｎ  ＰＬＰにはそのＰＬＰグループ内で伝送される全てのＴＳの共通情報が含まれているので、ＴＳ毎に共通するＳＩの内容が一度に全て記録できることになる。ここまでの処理を実行した時点で、図６のｃｏｍｍｏｎ  ＰＬＰ解析処理（Ｓ３６）は終了される。
【００５３】
ここで、実施の形態１におけるスキャン処理におけるスキャン用共通ストリームの生成及び伝送について、図８及び図９を参照して説明する。
【００５４】
図８は、ＤＶＢ−Ｔ２規格で定められるＴ２フレームの構成を示す概略図である。Ｔ２フレームは、ＤＶＢ−Ｔ２の物理層における時分割多重フレームである。Ｔ２フレームは、先に述べたＬ１−Ｓｉｇｎａｌｌｉｎｇ、ｃｏｍｍｏｎ  ＰＬＰ及びｄａｔａ  ＰＬＰで構成される。ＤＶＢ−Ｔ２の放送はＴ２フレームの連続によって構成される。
【００５５】
図８に示すように、ｃｏｍｍｏｎ  ＰＬＰ及びｄａｔａ  ＰＬＰは、時間的に独立して順番に送信される。従って、従来のスキャン処理の場合、ｃｏｍｍｏｎ  ＰＬＰ及びｄａｔａ  ＰＬＰの両方を復調するためには、先に受信可能なｃｏｍｍｏｎ  ＰＬＰを復調しておき、所望のｄａｔａ  ＰＬＰを受信するタイミングまで待って処理を行う必要がある。しかし、実施の形態１におけるスキャン処理では、ｃｏｍｍｏｎ  ＰＬＰの復調のみを行うため、ｄａｔａ  ＰＬＰの受信を待たずに、スキャン処理を開始することが可能となる。
【００５６】
図９は、スキャン処理時のスキャン用共通ストリームを説明するための概略図である。
送信側の入力ＴＳには、映像情報、音声情報及びＳＩ等の各種の情報を含んだＴＳパケットが多重化されている。ＳＩは映像情報、音声情報に比べると情報量が大幅に小さいため、一般的にストリーム中に占める割合は大きくない。また、ＳＩの各テーブルはある周期で繰り返し送信されているため、テーブルを受信可能かどうか判断する際には少なくともテーブルの最大周期分の時間、待機する必要がある。
【００５７】
先に述べたように、ＳＩには自ＴＳの情報を記述したａｃｔｕａｌと他ＴＳの情報を記述したｏｔｈｅｒとが存在するため、複数のＴＳについて同じＳＩテーブルが存在する場合がある。このようなＳＩテーブルが存在する場合、ＤＶＢ−Ｔ２規格による放送ではｃｏｍｍｏｎ  ＰＬＰにＳＩを含んだパケットを分離して伝送することがある。この際には、図９のｄａｔａ  ＰＬＰに示されているように、共通しているパケットを抜き出した部分は、ＮＵＬＬパケットによって埋められる。また、図９のｃｏｍｍｏｎ  ＰＬＰでも、共通していないパケット（ｄａｔａ  ＰＬＰのパケットに対応）の部分は、ＮＵＬＬパケットによって埋められる。
ここで、従来のスキャン処理では、受信側では、対応するｃｏｍｍｏｎ  ＰＬＰとｄａｔａ  ＰＬＰを個別に復調した後、ＮＵＬＬパケットの挿入とタイムスタンプによるタイミング同期を行い、得られた２本のＴＳを１パケット毎に比較して片方がＮＵＬＬパケットであればもう片方のパケットを出力することで、元のＴＳ（図９に示されている送信側の入力ＴＳ）を復元することができる。
【００５８】
これに対して、実施の形態１におけるスキャン処理では、図９に示されているスキャン用共通ストリームのように、ｃｏｍｍｏｎ  ＰＬＰの信号を復調して得られた共通デジタルストリームだけに基づいて、ＮＵＬＬパケットの挿入及びタイミングの同期を行うことなく、スキャン用共通ストリームを生成することができる。実施の形態１におけるスキャン処理では、スキャン用共通ストリームとして、ＴＳパケットのうちＳＩを含むパケットのみが抜き出されて、出力される。これによって、デマルチプレクス部１０４では、従来のスキャン処理のようにＳＩ以外の映像情報及び音声情報等を含んだパケットを処理する必要がなくなる。また、実施の形態１におけるスキャン処理では、本来は周期的に伝送されるＳＩのタイムスタンプを無視して、固めて伝送することができるため、ＳＩを格納したＴＳパケットの入力タイミングに依存した待機を行わずに、直ちにＳＩを含むＴＳパケットを取得することができる。ここで、Ｔ２フレームの規格上の最大長は２５０ｍｓであるため、ＳＩを取得可能なタイミングも最大で２５０ｍｓ弱程度短縮できる。
【００５９】
以上のように、実施の形態１におけるデジタル放送受信装置１００は、複数のストリームが１つの周波数チャンネル内で伝送される場合に、その共通部分を含んだスキャン用共通ストリームのみを復調してスキャンを行うことで、各ストリームを全て順番に復調してスキャンを行う場合に比べてスキャン処理時間を短縮することができる。
【００６０】
また、実施の形態１におけるデジタル放送受信装置１００は、復調部１０２で復調しストリーム調整部１０３で復元したスキャン用共通ストリームをデマルチプレクス部１０４へ伝送する際に、Ｔ２フレーム毎に、復調したストリームの各パケットに含まれるタイムスタンプを無視して隙間無くパケットを詰めて伝送することができる。このため、実施の形態１におけるデジタル放送受信装置１００は、より早いタイミングでＳＩを取得することができ、結果としてスキャン処理時間を短縮することができる。
【００６１】
さらに、実施の形態１におけるデジタル放送受信装置１００は、ストリーム調整部１０３からデマルチプレクス部１０４へストリームを伝送する際に、復元したストリームの各パケットのうち、スキャンに必要なＳＩを含んだパケットのみを選別して伝送することができる。このため、実施の形態１におけるデジタル放送受信装置１００は、より早いタイミングでＳＩを取得することができ、結果としてスキャン処理時間を短縮することができる。
【００６２】
さらに、実施の形態１におけるデジタル放送受信装置１００は、ストリーム中に含まれるスキャン処理時に必要なパケットのみを後段に出力するので、後段の処理における負荷を減らすことができる。
【００６３】
実施の形態１は、ＤＶＢ−Ｔ２規格に準拠した放送に対応するデジタル放送受信装置１００に適用することが可能である。なお、実施の形態１は、ＳＩを含む共通ストリームが他のストリームから分かれて伝送されるような、別の規格に準拠した放送に対しても同様に適用可能である。
【００６４】
また、実施の形態１では、全ての周波数チャンネルについてＳＩを収集するチャンネルスキャンを例に説明したが、番組情報の収集のみを目的とした番組情報スキャン、並びに、視聴中の放送局の系列局及び中継局を探索する系列局サーチ等、スキャン系の処理全般に対して、同様にスキャン処理時間を短縮することができる。
【００６５】
実施の形態２．
続いて、実施の形態２について以下で説明する。
図１に示すように、実施の形態２に係るデジタル放送受信装置２００は、チューナ部１０１と、チューナ部１０１の出力部に接続される復調部１０２と、復調部１０２の出力部に接続されるストリーム調整部２０３と、ストリーム調整部２０３の出力部に接続されるデマルチプレクス部１０４と、デマルチプレクス部１０４の出力部に接続されるデコード部１０５と、制御部２０７と、記憶部１０８とを備える。ここで、復調部１０２と、ストリーム調整部２０３とにより、復調処理部が構成される。実施の形態２に係るデジタル放送受信装置２００は、ストリーム調整部２０３及び制御部２０７において、実施の形態１に係るデジタル放送受信装置１００と異なっている。
図１に示されているように、実施の形態２における制御部２０７は、受信周波数選択部１０７１と、共通情報解析部１０７２と、復調ストリーム選択部１０７３と、ストリーム調整制御部１０７４と、ストリーム伝送制御部２０７５と、個別情報解析部１０７６とを備える。実施の形態２における制御部２０７は、ストリーム伝送制御部２０７５において、実施の形態１における制御部１０７と異なっている。
【００６６】
実施の形態２に係るデジタル放送受信装置２００は、制御部２０７のストリーム伝送制御部２０７５の指示によって、ストリーム調整部２０３からデマルチプレクス部１０４へのストリームの伝送レートを制御できるものとする。
【００６７】
実施の形態２におけるスキャン処理全体の流れは、図６に示されている実施の形態１におけるフローと同様であるが、ステップＳ２６におけるｃｏｍｍｏｎ  ＰＬＰ解析処理の内容において異なっている。
【００６８】
図１０は、実施の形態２におけるｃｏｍｍｏｎ  ＰＬＰ解析処理を示すフローチャートである。
【００６９】
まず、復調ストリーム選択部１０７３は、復調部１０２に対してｃｏｍｍｏｎ  ＰＬＰの復調を指示して復調処理を行わせる（Ｓ５０）。この処理は、図７に示されているステップＳ４０と同様の処理である。
【００７０】
次に、ストリーム伝送制御部２０７５は、ストリーム調整部２０３とデマルチプレクス部１０４との間の伝送クロックレートを最大化する設定を行う（Ｓ５１）。なお、ここでいう最大化は、デジタル放送受信装置２００がＴＳ伝送用バスによって伝送可能な最大のレート値を設定することを意味している。これにより、スキャン用共通ストリームはシステムが許容する最大速度でデマルチプレクス部１０４へ伝送されることになる。
【００７１】
次に、ストリーム調整制御部１０７４は、ストリーム調整部１０３に対して、スキャン用共通ストリームの生成を指示し、このような指示を受けたストリーム調整部１０３は、スキャン用共通ストリームを生成する（Ｓ５２）。この処理は、図７のステップＳ４１と同様の処理である。但し、生成されたスキャン用共通ストリームがデマルチプレクス部１０４に伝送される速度は、ステップＳ５１で設定された最大速度となる。
【００７２】
次に、ストリーム伝送制御部２０７５は、スキャン用共通ストリームの伝送処理（Ｓ５２）が終了した後に、伝送クロックレートの最大化設定を解除する（Ｓ５３）。
【００７３】
デマルチプレクス部１０４では、上記の処理の結果として入力されたスキャン用共通ストリームからＳＩを取得し、個別情報解析部１０７６は、取得されたＳＩを記憶部１０８に記憶させる（Ｓ５４）。この処理は、図７のステップＳ４２と同様である。
【００７４】
なお、ストリームの伝送を行う場合、通常、一部のパケット中に含まれるＰＣＲ（Ｐｒｏｇｒａｍ  Ｃｌｏｃｋ  Ｒｅｆｅｒｅｎｃｅ）と呼ばれるタイムスタンプ情報によって、受信機側のＨ／Ｗクロックを校正し、これを元に映像・音声の提示タイミングを調整する。そのため、通常ならばＴＳの伝送レートを変更する場合は、各パケットの入力タイミングの変更に伴ってＰＣＲの値を付け替える必要がある。
しかし、実施の形態２においては、後段でＰＣＲを取得しないスキャン処理を行う場合のみ、ストリーム伝送制御部２０７５の指示により、クロックレートを変更するようにしている。このため、番組視聴中等、ＰＣＲを含むパケットを後段に伝送する必要がある場合には、元のＴＳの伝送レートで入力が行われることになり、クロックの校正において問題が発生することはない。
【００７５】
以上のように、実施の形態２におけるデジタル放送受信装置２００は、スキャン処理を行う場合のみストリーム調整部２０３からデマルチプレクス部１０４への伝送クロックレートを最大化することで、実施の形態１で述べた効果に加えて、ＴＳパケット中のＳＩを取得するまでの時間をさらに短縮することができる。このため、実施の形態２におけるデジタル放送受信装置２００は、スキャン処理時間をさらに短縮することができる。
【００７６】
実施の形態３．
続いて、実施の形態３について以下で説明する。
図１に示すように、実施の形態３に係るデジタル放送受信装置３００は、チューナ部１０１と、チューナ部１０１の出力部に接続される復調部３０２と、復調部３０２の出力部に接続されるストリーム調整部１０３と、ストリーム調整部１０３の出力部に接続されるデマルチプレクス部１０４と、デマルチプレクス部１０４の出力部に接続されるデコード部１０５と、制御部３０７と、記憶部１０８とを備える。ここで、復調部３０２と、ストリーム調整部１０３とにより、復調処理部が構成される。実施の形態３に係るデジタル放送受信装置３００は、復調部３０２及び制御部３０７において、実施の形態１に係るデジタル放送受信装置１００と異なっている。
図１に示されているように、実施の形態３における制御部３０７は、受信周波数選択部１０７１と、共通情報解析部１０７２と、復調ストリーム選択部３０７３と、ストリーム調整制御部１０７４と、ストリーム伝送制御部１０７５と、個別情報解析部１０７６とを備える。実施の形態３における制御部３０７は、復調ストリーム選択部３０７３において、実施の形態１における制御部１０７と異なっている。
【００７７】
復調部３０２は、実施の形態１と同様の処理を行う他、復調ストリーム選択部３０７３からの指示に応じて、周波数チャンネルに含まれる全てのｃｏｍｍｏｎ  ＰＬＰの信号を復調する処理を行い、このような復調処理の結果として、共通デジタルストリームを生成する。そして、復調部３０２は、生成された共通デジタルストリームをストリーム調整部３０３に与える。
【００７８】
復調ストリーム選択部３０７３は、実施の形態１と同様の処理を行う他、現在選択されている周波数チャンネルの中に、ｃｏｍｍｏｎ  ＰＬＰを含むＰＬＰグループが少なくとも１つ存在する場合には、その周波数チャンネルに含まれる全てのｃｏｍｍｏｎ  ＰＬＰを復調するよう復調部３０２に指示を出す。
【００７９】
図１１は、実施の形態３に係るデジタル放送受信装置３００が行うスキャン処理全体の流れを示すフローチャートである。
【００８０】
スキャン処理実行時、受信周波数選択部１０７１は、受信周波数を順に選択して、チューナ部１０１及び復調部３０２に指示を出して、チューニング処理及び復調処理を行わせる（Ｓ６０）。
受信周波数選択部１０７１は、復調部３０２の検出信号によって信号受信が確認できたかどうかを判定する（Ｓ６１）。そして、受信周波数選択部１０７１は、信号受信が確認できた場合（Ｓ６１：Ｙｅｓ）には、ステップＳ６２の処理に進み、信号受信が確認できなかった場合（Ｓ６１：Ｎｏ）には、ステップＳ６８の処理に進む。
【００８１】
ステップＳ６２では、共通情報解析部１０７２は、Ｌ１−Ｓｉｇｎａｌｌｉｎｇを受信し解析する。そして、ステップＳ６２の解析結果として、共通情報解析部１０７２は、ＰＬＰグループと、このＰＬＰグループに属するＰＬＰとを特定する情報を復調ストリーム選択部３０７３に与える。
【００８２】
復調ストリーム選択部３０７３は、共通情報解析部１０７２から与えられた情報に基づいて、現在選択されている周波数チャンネルの中に含まれるＰＬＰグループについて、ｃｏｍｍｏｎ  ＰＬＰを含むＰＬＰグループが少なくとも１つ存在するかどうかを判定する（Ｓ６３）。そして、復調ストリーム選択部３０７３は、ｃｏｍｍｏｎ  ＰＬＰを含むＰＬＰグループが１つ以上存在すれば（Ｓ６３：ＹＥＳ）、ステップＳ６４の処理に進み、ｃｏｍｍｏｎ  ＰＬＰを含むＰＬＰグループが存在しなければ（Ｓ６３：Ｎｏ）、ステップＳ６５の処理に進む。
【００８３】
ステップＳ６４では、復調ストリーム選択部３０７３は、全ｃｏｍｍｏｎ  ＰＬＰ解析処理を行う。ここでの処理については、図１２を用いて詳細に説明する。
【００８４】
ステップＳ６５では、復調ストリーム選択部３０７３は、現在チューニングしている周波数チャンネルの全てのＰＬＰグループをスキャンしたかどうかを判定する（Ｓ６５）。その結果、復調ストリーム選択部３０７３は、全ＰＬＰグループをスキャン済みであれば（Ｓ６５：ＹＥＳ）、１つの周波数チャンネルについての処理を終了し、ステップＳ６８の処理に進む。一方、復調ストリーム選択部３０７３は、未選択のＰＬＰグループがあれば（Ｓ６５：ＮＯ）、ステップＳ６６の処理に進む。
【００８５】
ステップＳ６６では、復調ストリーム選択部３０７３は、共通情報解析部１０７２から与えられた情報に基づいて、ＰＬＰグループのうち未選択のものを順に選択する。
そして、復調ストリーム選択部３０７３は、選択されたＰＬＰグループについて、グループ内ＰＬＰ解析処理を行う。この処理は、図５に示されているフローと同様の処理である。
【００８６】
ステップＳ６８において、受信周波数選択部１０７１は、全周波数チャンネルをスキャンしたかどうかを判定する。そして、受信周波数選択部１０７１は、全周波数チャンネルをスキャン済みであれば（Ｓ６８：ＹＥＳ）、本フローを終了する。一方、受信周波数選択部１０７１は、未スキャンの周波数チャンネルが残っていれば（Ｓ６８：Ｎｏ）、ステップＳ６０の処理に戻り、次の周波数チャンネルを選択して、Ｓ６０〜Ｓ６８の処理を繰り返す。
【００８７】
図１２は、図１１における全ｃｏｍｍｏｎ  ＰＬＰ解析処理を示すフローチャートである。
まず、復調ストリーム選択部３０７３から復調部３０２に指示を出し、復調部３０２は、選択されている周波数チャネルに含まれる全てのｃｏｍｍｏｎ  ＰＬＰの信号を復調する（Ｓ７０）。ここでは、復調ストリーム選択部３０７３は、復調部３０２に、ｃｏｍｍｏｎ  ＰＬＰを含む全てのグループのｃｏｍｍｏｎ  ＰＬＰの変調パラメータを設定して、一度に、ｃｏｍｍｏｎ  ＰＬＰを含む全てのグループのｃｏｍｍｏｎ  ＰＬＰのストリームデータを復調させる。そして、復調部３０２は、このような復調処理の結果として、共通デジタルストリームを生成し、生成された共通デジタルストリームをストリーム調整部１０３に与える。なお、図８に示されているように、Ｔ２フレーム中で、ｃｏｍｍｏｎ  ＰＬＰは、全てｄａｔａ  ＰＬＰに先立って伝送されるため、この復調処理は、一対のｃｏｍｍｏｎ  ＰＬＰ及びｄａｔａ  ＰＬＰの復調に要する通常の復調処理よりも遅くなることはない。
【００８８】
次に、ストリーム調整制御部１０７４は、ストリーム調整部１０３に対して指示を出すことで、ストリーム調整部１０３に、復調部３０２から与えられる共通デジタルストリームより必要な情報を抽出することにより、スキャン用共通ストリームを生成させる（Ｓ７１）。ストリーム調整部１０３には、復調部３０２で各々のｃｏｍｍｏｎ  ＰＬＰの信号を復調して得られた共通デジタルストリームが入力されており、この共通デジタルストリームから抽出されたパケットを繋ぎ合わせることで、スキャン用共通ストリームを生成する。
なお、スキャン用共通ストリームの生成処理をストリーム調整部１０３が実施する際には、ストリーム調整制御部１０７４は、実施の形態１のスキャン処理と同様に、ＮＵＬＬパケットの挿入は行わせず、ＳＩを含んだＴＳパケットのみをＰＩＤを元に抽出させる。これにより、各ｃｏｍｍｏｎ  ＰＬＰに含まれていた全てのＳＩがデマルチプレクス部１０４に入力されることになる。
【００８９】
デマルチプレクス部１０４では、上記の処理の結果として入力されたスキャン用共通ストリームからＳＩを取得し、個別情報解析部１０７６が取得されたＳＩを記憶部１０８に記憶させる（Ｓ７２）。ここで、元々の各ｃｏｍｍｏｎ  ＰＬＰには、そのＰＬＰグループ内で伝送される全てのＴＳの共通情報が含まれているので、個別情報解析部１０７６は、該当するＰＬＰグループに含まれる全てのＴＳのＳＩの内容を一度に全て記録できることになる。ここまでの処理を実行した時点で、図１１に示されている全ｃｏｍｍｏｎ  ＰＬＰ解析処理（Ｓ６４）は、終了される。
【００９０】
以上のように、実施の形態３におけるデジタル放送受信装置３００は、ｃｏｍｍｏｎ  ＰＬＰが使用されている全ＰＬＰグループ分のｃｏｍｍｏｎ  ＰＬＰの信号をまとめて復調して受信することで、ｃｏｍｍｏｎ  ＰＬＰが１つの周波数チャンネル中で複数存在するような場合に、一度にそれらのｃｏｍｍｏｎ  ＰＬＰが属するＰＬＰグループのスキャンを行うことができる。このため、実施の形態３におけるデジタル放送受信装置３００は、実施の形態１のデジタル放送受信装置１００と比較して、さらに高速にスキャン処理を行うことが可能である。
【００９１】
以上に記載された実施の形態１〜３においては、ストリーム調整部１０３、２０３は、復調部１０２、３０２から与えられた共通デジタルストリームより、スキャン処理に必要な情報を含んだＴＳパケットを選別して、選別されたＴＳパケットからなるスキャン用共通ストリームを生成しているが、このような例に限定されるものではない。例えば、ストリーム調整部１０３、２０３は、復調部１０２、３０２から与えられた共通デジタルストリームに含まれている共通パケットを全て用いてスキャン用共通ストリームを生成してもよい。この場合でも、ストリーム調整部１０３、２０３、３０３は、共通パケットの間隔を詰めることによりスキャン用共通ストリームを生成してもよい。
【符号の説明】
【００９２】
１００，２００，３００：デジタル放送受信装置、  １０１：チューナ部、  １０２，３０２：復調部、  １０３，２０３：ストリーム調整部、  １０４：デマルチプレクス部、  １０５：デコード部、  １０７，２０７，３０７：制御部、  １０７１：受信周波数選択部、  １０７２：共通情報解析部、  １０７３，３０７３：復調ストリーム選択部、  １０７４：ストリーム調整制御部、  １０７５，２０７５：ストリーム伝送制御部、  １０７６：個別情報解析部、  １０８：記憶部。
【図１】
0005787708.tif 000002
【図２】
0005787708.tif 000003
【図３】
0005787708.tif 000004
【図４】
0005787708.tif 000005
【図５】
0005787708.tif 000006
【図６】
0005787708.tif 000007
【図７】
0005787708.tif 000008
【図８】
0005787708.tif 000009
【図９】
0005787708.tif 000010
【図１０】
0005787708.tif 000011
【図１１】
0005787708.tif 000012
【図１２】
0005787708.tif 000013